(57)【要約】【課題】水受槽のどの方向の異常振動でも検知可能な洗濯機を提供する。【解決手段】洗濯兼脱水槽４を回転自在に内包し、本体１より防振機構３にて垂下防振支持された有底円筒状の水受槽２と、本体１上部に設け水受槽２の振動を検知する振動検知手段とを備え、振動検知手段は、電気接点部と、電気接点部を内包するスイッチケース１１と、電気接点部を入り切りするスイッチレバー８とを有し、電気接点部は、スイッチレバー８をスイッチケース１１に弾性的に支持するスプリング状の接点１０と、スプリング状の接点１０の周囲に設けた環状の接点９とを有し、スイッチレバー８は、水受槽２の外周上部に設けたレバー操作部によって当接されることにより電気接点部を入り切りするようにしたことにより、水受槽２が所定値を超える振動を発生してあらゆる方向からスイッチレバー８を押しても、確実に検知して脱水を停止することができ、高い安全性を発揮できる。【選択図】図１
2014064649.tif 000002
【特許請求の範囲】
【請求項１】
本体と、洗濯物を収容する洗濯兼脱水槽と、前記洗濯兼脱水槽を回転自在に内包し、前記本体より防振機構にて垂下防振支持された有底円筒状の水受槽と、前記本体上部に設け前記水受槽の振動を検知する振動検知手段とを備え、前記振動検知手段は、電気接点部と、前記電気接点部を内包するスイッチケースと、前記電気接点部を入り切りするスイッチレバーとを有し、前記電気接点部は、前記スイッチレバーを前記スイッチケースに弾性的に支持するスプリング状の接点と、前記スプリング状の接点の周囲に設けた環状の接点とを有し、前記スイッチレバーは、前記水受槽の外周上部に設けたレバー操作部によって当接されることにより前記電気接点部を入り切りするようにした洗濯機。
【請求項２】
前記レバー操作部は、前記水受槽の外周上部で前記スイッチレバーの周囲に設けた請求項１に記載の洗濯機。
【請求項３】
前記レバー操作部は、前記水受槽の外周上部で前記スイッチレバーの下位置に設けた請求項１または２に記載の洗濯機。
【請求項４】
前記スイッチレバーには、前記レバー操作部が当接する緩衝部材を設けた請求項１〜３のいずれか１項に記載の洗濯機。
【発明の詳細な説明】
【技術分野】
【０００１】
本発明は、本体内部に防振支持された水受槽が揺動する際の異常振動を検知する洗濯機に関するものである。
【背景技術】
【０００２】
従来、この種の洗濯機は、防振支持された水受槽が設定を超えて揺動した時に、振動検知手段が作動して動作を停止する構成が提案されている。（例えば、特許文献１参照）。
【０００３】
図５は、特許文献１に記載された従来の洗濯機の振動検知手段の平面図と縦断面図である。
【０００４】
図５において、振動検知スイッチ本体５１は、洗濯機本体の枠体５２に取り付けてある。洗濯機本体内に防振機構（図示せず）により垂下防振支持された水受槽５３の異常振動を検知して振動検知スイッチ本体５１を作動させる下方突出レバー５４は、振動検知スイッチ本体５１の回転支持点５５で回転自在に支持されている。
【０００５】
この下方突出レバー５４の回転支持点５５の上方端には、スイッチ接点板５６，５７の開閉操作をする開閉レバー部５８を併設している。スイッチ接点板５６，５７は、開閉レバー部５８を挟んで開閉レバー部５８の可動方向に並行に設けている。
【０００６】
なお、振動検知スイッチ本体５１と下方突出レバー５４との間には、下方突出レバー５４を静止位置に戻す復帰スプリング５９が設けてある。
【０００７】
以上の構成にて、脱水運転時に、洗濯機本体内の水受槽５３が大きく異常振動した場合には、水受槽５３が下方突出レバー５４を図中の右方向へ押しつけ、下方突出レバー５４が右方向へ動く。この時、下方突出レバー５４は回転支持点５５を中心に左回転して、開閉レバー部５８は図中の左方向へ動き、スイッチ接点板５７の凸部６１を図中下方へ押しやり、接点６０を開き、洗濯機の脱水運転を停止する。
【先行技術文献】
【特許文献】
【０００８】
【特許文献１】特開２００２−３５４７４号公報
【発明の概要】
【発明が解決しようとする課題】
【０００９】
しかしながら、前記従来の構成では、水受槽は衣類の片寄り方などによって、脱水回転方向に円運動しながら前後左右あるいは上下というように複雑な動きをするが、一方向にしか振動検知手段の下方突出レバーが動かないために、下方突出レバーの動作方向に対して直角方向の振動や上下振動は検知できず、このため、振動検知手段が作動せずに異常振動が発生するという安全上の課題を有していた。
【００１０】
本発明は、前記従来の課題を解決するもので、衣類の片寄りが大きく水受槽の異常振動が生じたときに、水受槽の振動がどの方向でも検知し、確実に脱水を停止させる洗濯機を提供することを目的とする。
【課題を解決するための手段】
【００１１】
前記従来の課題を解決するために、本発明の洗濯機は、本体と、洗濯物を収容する洗濯
兼脱水槽と、前記洗濯兼脱水槽を回転自在に内包し、前記本体より防振機構にて垂下防振支持された有底円筒状の水受槽と、前記本体上部に設け前記水受槽の振動を検知する振動検知手段とを備え、前記振動検知手段は、電気接点部と、前記電気接点部を内包するスイッチケースと、前記電気接点部を入り切りするスイッチレバーとを有し、前記電気接点部は、前記スイッチレバーを前記スイッチケースに弾性的に支持するスプリング状の接点と、前記スプリング状の接点の周囲に設けた環状の接点とを有し、前記スイッチレバーは、前記水受槽の外周上部に設けたレバー操作部によって当接されることにより前記電気接点部を入り切りするようにしたものである。
【００１２】
これによって、衣類の片寄りが大きく、水受槽が所定値を超える振動を発生したときに、水受槽がどの方向に振動しても振動検知手段が作動することができ、確実に脱水を停止させることができるので、高い安全性を発揮することができる。
【発明の効果】
【００１３】
本発明の洗濯機は、どの方向の水受槽の異常振動でも検知して運転停止することで、高い安全性を発揮することができる。
【図面の簡単な説明】
【００１４】
【図１】本発明の実施の形態１における洗濯機の縦断面図
【図２】同洗濯機の振動検知手段の要部断面図
【図３】同洗濯機の振動検知手段の動作を例示する要部断面図
【図４】同洗濯機の振動検知手段の他の動作を例示する要部断面図
【図５】従来の洗濯機の振動検知手段の平面図と縦断面図
【発明を実施するための形態】
【００１５】
第１の発明は、本体と、洗濯物を収容する洗濯兼脱水槽と、前記洗濯兼脱水槽を回転自在に内包し、前記本体より防振機構にて垂下防振支持された有底円筒状の水受槽と、前記本体上部に設け前記水受槽の振動を検知する振動検知手段とを備え、前記振動検知手段は、電気接点部と、前記電気接点部を内包するスイッチケースと、前記電気接点部を入り切りするスイッチレバーとを有し、前記電気接点部は、前記スイッチレバーを前記スイッチケースに弾性的に支持するスプリング状の接点と、前記スプリング状の接点の周囲に設けた環状の接点とを有し、前記スイッチレバーは、前記水受槽の外周上部に設けたレバー操作部によって当接されることにより前記電気接点部を入り切りするようにしたことにより、衣類の片寄りが大きく、水受槽が所定値を超える振動を発生したときに、水受槽がどの方向に振動しても振動検知手段が作動することができ、確実に脱水を停止させることができるので、高い安全性を発揮することができる。
【００１６】
第２の発明は、特に、第１の発明のレバー操作部は、前記水受槽の外周上部で前記スイッチレバーの周囲に設けたことにより、水受槽の所定値を超える多方向の振動を確実に検知して脱水を停止することができ、高い安全性を発揮できる。
【００１７】
第３の発明は、特に、第１または第２の発明のレバー操作部は、前記水受槽の外周上部で前記スイッチレバーの下位置に設けたことにより、洗濯兼脱水槽が上下に振動するような場合においても、水受槽の上下方向の振動を検知して、振動検知手段が作動し、確実に脱水を停止させることができるので、高い安全性を発揮することができる。
【００１８】
第４の発明は、特に、第１〜第３のいずれか１つの発明のスイッチレバーには、前記レバー操作部が当接する緩衝部材を設けたことにより、水受槽が異常な振動を発生した時に、衝突音を低減し、振動検知手段の故障を防ぎ、高い安全性を保持することができる。
【００１９】
以下、本発明の実施の形態について、図面を参照しながら説明する。なお、本実施の形態によって本発明が限定されるものではない。
【００２０】
（実施の形態１）
図１は、本発明の実施の形態１における洗濯機の縦断面図を示すものである。
【００２１】
図１において、本体１は、内部に有底円筒状の水受槽２を防振機構３により垂下防振支持し、水受槽２に洗濯兼脱水槽４を回転自在に内包している。また、洗濯兼脱水槽４の底部には衣類撹拌用の撹拌翼２９が回転自在に配されており、この撹拌翼２９、および洗濯兼脱水槽４は、水受槽２の外底部に設けたモータ５により回転駆動される。
【００２２】
本体１の上部には、中央部に洗濯兼脱水槽４内を臨む洗濯物投入口３０を形成した上部枠体６を装着しており、この洗濯物投入口３０を開閉自在に覆うように、蓋１６が配設されている。
【００２３】
上部枠体６の後部内方に、振動検知手段が設けられ、振動検知手段には、振動検知スイッチ７と、振動検知スイッチ７の下部には水受槽２の異常振動を検知して、振動検知スイッチ７を作動させるスイッチレバー８を上部枠体６の下方に突出して設けている。
【００２４】
水受槽２の外周上部には、スイッチレバー８の周囲に第１のレバー操作部１３を設けている。即ち、水受槽２上部の開放端縁部には、外周方向へ平面上の第１のレバー操作部１３を延設しており、この第１のレバー操作部１３に穿設した動作空間部３９内に、振動検知スイッチ７のスイッチレバー８の下部に嵌着された緩衝部材１５が位置するようになっている。
【００２５】
また、水受槽２の側壁で第１のレバー操作部１３の下方には、緩衝部材の下面と所定の隙間を有して外周方向へ平面上の第２のレバー操作部１４が形成されている。なお、振動検知手段回りの構成については、図２を用いて後述する。
【００２６】
上部枠体６の前面部には、使用者が運転コースなどの入力設定を行ない、その入力情報を表示する操作表示部３３が設けられ、操作表示部３３の内方部には、運転行程を制御する制御手段（図示せず）を有する制御装置３２が配設されている。
【００２７】
図２は、本発明の実施の形態１における洗濯機の振動検知手段の要部断面図を示すものである。
【００２８】
図２において、振動検知スイッチ７は、電気接点部と、電気接点部を内包するスイッチケース１１と、電気接点部を入り切りするスイッチレバー８とを有しており、この電気接点部は、ステンレス等の耐食性の導電材料で形成したスプリング状の接点１０と、スプリング状の接点１０の上端を巻着し導電材料で形成した円柱状の固定金具１２と、固定金具１２を介してスプリング状の接点１０と導通する上部接点部３４と、スイッチケース１１の下部に設けられ、スプリング状の接点１０を内包する円筒部３１を形成した導電材料の環状の接点９で構成されている。
【００２９】
そして、スプリング状の接点１０および上部接点部３４は、環状の接点９と共に制御装置３２に接続されている。
【００３０】
スイッチレバー８の上部にある上部連結部３６は、スプリング状の接点１０の下部にが巻着されて取り付けられており、スイッチレバー８はスプリング状の接点１０によってスイッチケース１１に弾性的に支持されている。
【００３１】
また、スイッチレバー８の側面と下端を覆うように、緩衝部材１５が嵌着されており、緩衝部材１５は、水受槽２に形成した第１のレバー操作部１３の動作空間部３９との隙間調整と衝突音を低減する。
【００３２】
つまり、スプリング状の接点１０は、その上部を固定金具１２に巻着し、下部をスイッチレバー８の上部連結部３６に巻着し、中間部３８に空間部３７が設けられ、中間部３８を環状の接点９の円筒部３１が内包しており、スプリング状の接点１０の下半分が上部枠体６から下方に突出している。
【００３３】
なお、洗い行程中などに水受槽２上部から水や洗剤液が飛び跳ねて、スプリング状の接点１０や環状の接点９に付着し経年により錆びが発生して機能を損なわないように、スプリング状の接点１０と環状の接点９は耐食性材料で形成されている。
【００３４】
以上のように構成した洗濯機について、以下、その動作、作用を説明する。
【００３５】
図３は、本発明の実施の形態における洗濯機の振動検知手段の動作を例示する要部断面図、図４は、同洗濯機の振動検知手段の他の動作を例示する要部断面図を示すものである。
【００３６】
図３において、脱水行程開始時に、洗濯兼脱水槽４内の衣類の片寄りによって水受槽２の振動が大きくなり、脱水回転方向に円運動しながら前後左右に動くと、スイッチレバー８と第１のレバー操作部１３とが当接し、水受槽２が、第１のレバー操作部１３の動作空間部３９に位置する緩衝部材１５を介してスイッチレバー８を押す。
【００３７】
すると、スイッチレバー８の上部連結部３６に連結したスプリング状の接点１０の上端が固定金具１２によって固定され、空間部３７が設けてあるために、スプリング状の接点１０が折れ曲がって、スプリング状の接点１０の中間部３８が環状の接点９の円筒部３１と接触する。
【００３８】
スプリング状の接点１０と環状の接点９と固定金具１２と上部接点部３４は導電材料であるため、スプリング状の接点と環状の接点９が接触すると、上部接点部３４と環状の接点９の間は導通状態になり、振動検知スイッチ７が作動し、異常振動を検知する。
【００３９】
なお、スプリング状の接点１０は弾性体のバネであり、どの方向にも曲がるので、水受槽２がどの方向に振動しても検知して振動検知スイッチ７を作動させ、脱水運転を停止することができる。
【００４０】
なお、緩衝部材１５と動作空間部３９の隙間は全周同じでなくともかまわず、水受槽２と本体１の隙間が横方向で狭い場合は、緩衝部材１５と動作空間部３９の横方向の隙間を小さくすることで、水受槽２が本体１に当たって異常振動が発生するのを防止することができる。
【００４１】
図４において、洗濯兼脱水槽４内で比較的軽い衣類が大きく片寄った場合には、防振機構３のダンパー力が反発力となって、水受槽２が脱水回転方向に円運動しながら上下方向に振動し、ひどくなると水受槽２の上部と上部枠体６が衝突するような異常振動が生じる恐れがある。
【００４２】
このような振動の場合は、スイッチレバー８と第２のレバー操作部１４とが当接し、水受槽２の第１のレバー操作部１３の下方に設けた第２のレバー操作部１４が緩衝部材１５
を介してスイッチレバー８の下端を押し上げる。
【００４３】
これによって、スプリング状の接点１０の中間部３８が、くの字状に曲がり、中間部３８が環状の接点９の円筒部３１と接触する。
【００４４】
スプリング状の接点１０と環状の接点９が接触すると、図３の例と同じように、上部接点部３４と環状の接点９の間は導通状態になり、振動検知スイッチ７が作動し、確実に脱水を停止させることができる。
【００４５】
以上のように、振動検知手段は、電気接点部と、記電気接点部を内包するスイッチケースと、電気接点部を入り切りするスイッチレバーとを有し、電気接点部は、スイッチレバーをスイッチケースに弾性的に支持するスプリング状の接点と、スプリング状の接点の周囲に設けた環状の接点とを有し、スイッチレバーは、水受槽の外周上部に設けたレバー操作部によって当接されることにより電気接点部を入り切りするようにしたので、スプリング状の接点が環状の接点の円筒部に接触することで、環状の接点と上部接点部が導通するようにしたことにより、衣類の片寄りが大きく、水受槽が所定値を超える振動を発生したときに、水受槽がどの方向に振動しても振動検知手段が作動することができ、確実に脱水を停止させることができるので、高い安全性を発揮することができる。
【００４６】
また、レバー操作部を、水受槽の外周上部でスイッチレバーの周囲に設けたことにより、水受槽の所定値を超える多方向の振動を確実に検知して脱水を停止することができ、高い安全性を発揮できる。
【００４７】
また、レバー操作部をは、水受槽の外周上部でスイッチレバーの下位置に設けたことにより、洗濯兼脱水槽が上下に振動するような場合においても、水受槽の上下方向の振動を検知して、振動検知手段が作動し、確実に脱水を停止させることができるので、高い安全性を発揮することができる。
【産業上の利用可能性】
【００４８】
以上のように、本発明にかかる洗濯機は、水受槽の多方向の異常振動を確実に検知することが可能な振動検知手段を有するので、振動検知手段を有する他の家庭用機器の用途に適用できる。
【符号の説明】
【００４９】
１  本体
２  水受槽
３  防振機構
４  洗濯兼脱水槽
８  スイッチレバー
９  環状の接点
１０  スプリング状の接点
１１  スイッチケース
１３  第１のレバー操作部
１４  第２のレバー操作部
１５  緩衝部材
【図１】
2014064649.tif 000003
【図２】
2014064649.tif 000004
【図３】
2014064649.tif 000005
【図４】
2014064649.tif 000006
【図５】
2014064649.tif 000007